(57)【要約】【課題】表示装置の画面をコストを上げることなく拡大すること。【解決手段】電話やメールの着信確認などに用いられるサブ液晶を展開し、メイン液晶と組み合わせて大画面を形成する。サブ液晶は１枚または２枚から構成する。サブ液晶の展開を検出して大画面表示に切り換える検出部、あるいは、サブ液晶が展開された場合に、通常表示、大画面表示、２画面表示を切り換える操作ボタンや、マウスまたはキーボードを接続するＵＳＢインタフェースを設ける。【選択図】        図２
2007316260.tif 000002
【特許請求の範囲】
【請求項１】
メイン表示部とサブ表示部を備えた表示装置であって、
前記サブ表示部が展開されてメイン表示部と隣接した状態で該メイン表示部とサブ表示部を合わせて一つの表示画面を形成することを特徴とする表示装置。
【請求項２】
前記サブ表示部は、１枚の表示面から構成されることを特徴とする請求項１に記載の表示装置。
【請求項３】
前記サブ表示部は、２枚の表示面から構成されることを特徴とする請求項１に記載の表示装置。
【請求項４】
前記サブ表示部の展開を検出する展開検出部をさらに備え、
前記展開検出部により展開が検出された場合に、前記メイン表示部とサブ表示部を合わせて一つの表示画面を形成する大画面表示への切換を行うことを特徴とする請求項１、２または３に記載の表示装置。
【請求項５】
前記サブ表示部の展開を検出する展開検出部をさらに備え、
前記展開検出部により展開が検出された場合に、前記メイン表示部とサブ表示部を合わせて一つの表示画面を形成する大画面表示と、該メイン表示部にはメイン表示を行うとともにサブ表示部にはサブ表示を行う通常表示との切換に用いられる表示モード切換部を備えたことを特徴とする請求項１、２または３に記載の表示装置。
【発明の詳細な説明】
【技術分野】
【０００１】
この発明は、メイン表示部とサブ表示部を備えた表示装置に関し、特に、サブ表示部を活用して表示画面を拡大し、フルブラウザや地上デジタルテレビなどを大画面で閲覧することを可能とする表示装置に関するものである。
【背景技術】
【０００２】
近年の携帯電話機では、フルブラウザや地上デジタルテレビなどの機能が定着しつつあり、より大きな画面で情報の閲覧が可能であることが要求されている。図１１は、従来の携帯電話機を示す図であり、メイン液晶表示部１と背面液晶表示部(サブ液晶表示部)２とを備え、折りたたみ型になっている。ここで、背面液晶表示部２は、電話やメールの着信確認、時計表示などの機能のために必要な表示部である。
【０００３】
このように、折りたたみ型にすることで、従来の非折りたたみ型の携帯電話機と比較してメイン液晶表示部１を大きくすることができる。しかし、携帯電話機自体の大きさは限られており、大型化よりは小型化が進むと考えられるため、現状以上にメイン液晶表示部１を大きくすること望めない。
【０００４】
そこで、複数の画面を組み合わせて携帯電話機などの画面を拡大する技術が開発されている（例えば、特許文献１〜３参照。）。
【０００５】
【特許文献１】特開２００１−１７５６０９号公報
【特許文献２】登録実用新案第３０８３２５６号公報
【特許文献３】特開２００１−２９８５１７号公報
【発明の開示】
【発明が解決しようとする課題】
【０００６】
しかしながら、かかる従来技術では、メイン表示画面と組み合わせる表示画面を新たに設け、大画面表示以外の場合には新たに設ける表示画面が使用されることはなく、コストが高くなるという問題がある。
【０００７】
この発明は、上述した従来技術による問題点を解消するためになされたものであり、サブ表示部（背面液晶表示部）を活用して表示画面を拡大し、フルブラウザや地上デジタルテレビなどを大画面で閲覧することを可能とする表示装置を提供することを目的とする。
【課題を解決するための手段】
【０００８】
上述した課題を解決し、目的を達成するため、請求項１の発明に係る表示装置は、メイン表示部とサブ表示部を備えた表示装置であって、前記サブ表示部が展開されてメイン表示部と隣接した状態で該メイン表示部とサブ表示部を合わせて一つの表示画面を形成することを特徴とする。
【０００９】
この請求項１の発明によれば、サブ表示部が展開されてメイン表示部と隣接した状態でメイン表示部とサブ表示部を合わせて一つの表示画面を形成するよう構成したので、新たに表示部を設けることなく画面を拡大することができる。
【００１０】
また、請求項２の発明に係る表示装置は、請求項１の発明において、前記サブ表示部は、１枚の表示面から構成されることを特徴とする。
【００１１】
この請求項２の発明によれば、サブ表示部を１枚の表示面から構成するようにしたので、大画面を形成した場合の画面の切れ目を一つにすることができる。
【００１２】
また、請求項３の発明に係る表示装置は、請求項１の発明において、前記サブ表示部は、２枚の表示面から構成されることを特徴とする。
【００１３】
この請求項３の発明によれば、サブ表示部を２枚の表示面から構成するようにし、各表示面を小さくすることができる為、画面レイアウト表示のバリエーションが増える。また左右対称に画面が配置されるため、バランスがよく持ちやすい。
【００１４】
また、請求項４の発明に係る表示装置は、請求項１、２または３の発明において、前記サブ表示部の展開を検出する展開検出部をさらに備え、前記展開検出部により展開が検出された場合に、前記メイン表示部とサブ表示部を合わせて一つの表示画面を形成する大画面表示への切換を行うことを特徴とする。
【００１５】
この請求項４の発明によれば、サブ表示部の展開を検出し、展開を検出した場合に、メイン表示部とサブ表示部を合わせて一つの表示画面を形成する大画面表示への切換を行うよう構成したので、大画面表示への切り換えを自動的に行うことができる。
【００１６】
また、請求項５の発明に係る表示装置は、請求項１、２または３の発明において、前記サブ表示部の展開を検出する展開検出部をさらに備え、前記展開検出部により展開が検出された場合に、前記メイン表示部とサブ表示部を合わせて一つの表示画面を形成する大画面表示と、該メイン表示部にはメイン表示を行うとともにサブ表示部にはサブ表示を行う通常表示との切換に用いられる表示モード切換部を備えたことを特徴とする。
【００１７】
この請求項５の発明によれば、サブ表示部の展開を検出し、展開を検出した場合に、メイン表示部とサブ表示部を合わせて一つの表示画面を形成する大画面表示と、メイン表示部にはメイン表示を行うとともにサブ表示部にはサブ表示を行う通常表示との切換を可能とするよう構成したので、サブ表示部を展開した場合にもサブ表示を行うことができる。
【発明の効果】
【００１８】
請求項１の発明によれば、新たに表示部を設けることなく画面を拡大するので、低コストで画面を拡大することができるという効果を奏する。
【００１９】
また、請求項２の発明によれば、大画面を形成した場合の画面の切れ目を一つにするので、画面の組み合わせによる画面の見づらさを最小限にすることができるという効果を奏する。
【００２０】
また、請求項３の発明によれば、サブ表示部の各表示面を小さくし左右対称に配置することにより、大画面を形成した場合のバランスの悪さ、持ちにくさを最小限にすることができるという効果を奏する。
【００２１】
また、請求項４の発明によれば、大画面表示への切り換えを自動的に行うので、大画面表示操作を簡単にすることができるという効果を奏する。
【００２２】
また、請求項５の発明によれば、サブ表示部を展開した場合にもサブ表示を行うことができるので、必要に応じて大画面表示とサブ表示を選択することが可能となるという効果を奏する。
【発明を実施するための最良の形態】
【００２３】
以下に添付図面を参照して、この発明に係る表示装置の好適な実施例を詳細に説明する。
【実施例】
【００２４】
図１は、本実施例に係る携帯電話機を示す図である。同図は通常使用時を示しており、３はメイン液晶、４は可動部、５は固定部を示す。図２は、可動部４のサブ液晶６をメイン液晶３の面に展開したときの図である。同図に示すように、本実施例に係る携帯電話機は、サブ液晶６をメイン液晶３と組み合わせることによって、大画面を形成することができる。
【００２５】
図３は、可動部４を折りたたんだときの図である。同図に示すように、可動部４を折りたたんだ場合には、サブ液晶６は従来と同様に電話やメールの着信確認などに用いられる。
【００２６】
このように、サブ液晶６をメイン液晶３に隣接するように展開して大画面を形成することによって、新たに液晶を設けることなく表示画面を拡大することができる。
【００２７】
また、可動部４が折りたたまれている状態にあるか否かを磁石によって検出するのと同様にサブ液晶６の展開を磁石によって検出することで、通常の表示から大画面表示に自動的に切り換えることができる。
【００２８】
あるいは、サブ液晶６が展開されたことを検出した際に、所定のボタンが操作されたことを検出することによって通常の表示から大画面表示に切り換えるようにすることもできる。
【００２９】
あるいは、サブ液晶６が展開されたことを検出した際に、所定のボタンが操作されたことを検出することによって通常表示、大画面表示以外に２面表示に切り換えるようにすることもできる。２面表示では、受信したメールを一方の画面で見ると同時に送信メールを他の画面で作成するといったことが可能となる。
【００３０】
また、携帯電話機にＵＳＢインタフェースなどを設け、大画面表示の場合にはＵＳＢインタフェースなどによって接続されたマウスやキーボードからの入力を受け付けるようにすることもできる。マウスやキーボードの利用を可能とすることで、フルブラウザの使用時などにおける入力操作を容易にすることができる。
【００３１】
図４は、可動部４の断面図である。同図は通常使用時の断面図を示しており、７はメイン液晶モジュール、８はサブ液晶モジュール、９はメイン液晶３の表示面、１０はサブ液晶６の表示面を示す。
【００３２】
また、１１は基板間信号ラインを通すヒンジ部、１２はメイン液晶３を支えるプリント基板、１３はサブ液晶６を支えるプリント基板、１４はメイン液晶側の基板に実装された基板間信号のコネクタ、１５はサブ液晶側の基板に実装された基板間信号のコネクタ示す。
【００３３】
図５は、サブ液晶６を展開したときの断面図である。同図に示すように、サブ液晶６を展開したときは、メイン液晶３の表示面９とサブ液晶６の表示面１０が同一平面上に並ぶ。
【００３４】
図１〜図５では１枚のサブ液晶を用いる携帯電話機を示したが、サブ液晶を２枚構造とすることもできる。そこで、図６〜図１１を用いてサブ液晶が２枚構造の携帯電話機について説明する。図６は、サブ液晶が２枚構造の携帯電話機を示す図である。同図は通常使用時を示しており、図１と同様に、３はメイン液晶、４は可動部、５は固定部を示す。
【００３５】
図７は、可動部４のサブ液晶をメイン液晶３の面に展開したときの図であり、１６は第１のサブ液晶を、１７は第２のサブ液晶を示す。このように、サブ液晶を２枚構造とする場合には、二つのサブ液晶１６および１７をメイン液晶３の左右に展開することによって大画面を形成することができる。
【００３６】
図８は、可動部４を折りたたんだときの図である。この場合には、サブ液晶１６および１７を組み合わせ形成される画面が電話やメールの着信確認などに用いられる。
【００３７】
図９は、可動部４の断面図である。同図は通常使用時の断面図を示しており、７はメイン液晶モジュール、８は第１のサブ液晶モジュール、１８は第２のサブ液晶モジュール、９はメイン液晶３の表示面、１０は第１のサブ液晶１６の表示面、１９は第２のサブ液晶１７の表示面を示す。
【００３８】
また、１１は第１のサブ液晶１６への基板間信号ラインを通すヒンジ部、２０は第２のサブ液晶１７への基板間信号ラインを通すヒンジ部、１２はメイン液晶を支えるプリント基板、１３は第１のサブ液晶１６を支えるプリント基板、２１は第２のサブ液晶１７を支えるプリント基板、１４は第１のサブ液晶１６へのメイン液晶側の基板に実装された基板間信号のコネクタ、１５は第１のサブ液晶側の基板に実装された基板間信号のコネクタ、２２は第２のサブ液晶１７へのメイン液晶側の基板に実装された基板間信号のコネクタ、２３は第２のサブ液晶側の基板に実装された基板間信号のコネクタ示す。
【００３９】
図１０は、２つのサブ液晶１６および１７を展開したときの断面図である。同図に示すように、２つのサブ液晶１６および１７を展開したときは、メイン液晶３の表示面９とサブ液晶１６および１７の表示面１０および１９が同一平面上に並ぶ。
【００４０】
上述してきたように、本実施例では、電話やメールの着信確認などに用いられるサブ液晶を展開し、メイン液晶３と組み合わせて大画面を形成することとしたので、新たに液晶を設けることなく画面を拡張することができる。
【００４１】
また、サブ液晶の展開を検出する検出部を設けることによって、自動的に大画面表示に切り換えるようにすることができる。あるいは、サブ液晶が展開された場合に、通常表示大画面表示、２画面表示を切り換える操作ボタンや、マウスまたはキーボードを接続するＵＳＢインタフェースを設けることができる。
【００４２】
なお、本実施例では、携帯電話機について説明したが、本発明はこれに限定されるものではなく、メイン表示部とサブ表示部とを有する機器に同様に適用することができる。
【００４３】
（付記１）メイン表示部とサブ表示部を備えた表示装置であって、
前記サブ表示部が展開されてメイン表示部と隣接した状態で該メイン表示部とサブ表示部を合わせて一つの表示画面を形成することを特徴とする表示装置。
【００４４】
（付記２）前記サブ表示部は、１枚の表示面から構成されることを特徴とする付記１に記載の表示装置。
【００４５】
（付記３）前記サブ表示部は、２枚の表示面から構成されることを特徴とする付記１に記載の表示装置。
【００４６】
（付記４）前記サブ表示部の展開を検出する展開検出部をさらに備え、
前記展開検出部により展開が検出された場合に、前記メイン表示部とサブ表示部を合わせて一つの表示画面を形成する大画面表示への切換を行うことを特徴とする付記１、２または３に記載の表示装置。
【００４７】
（付記５）前記サブ表示部の展開を検出する展開検出部をさらに備え、
前記展開検出部により展開が検出された場合に、前記メイン表示部とサブ表示部を合わせて一つの表示画面を形成する大画面表示と、該メイン表示部にはメイン表示を行うとともにサブ表示部にはサブ表示を行う通常表示との切換に用いられる表示モード切換部を備えたことを特徴とする付記１、２または３に記載の表示装置。
【００４８】
（付記６）前記表示モード切換部は、大画面表示、通常表示に加えて、通常表示においてメイン表示部に表示される異なる２つの画面をそれぞれメイン表示部とサブ表示部に表示する２画面表示への切換可能とすることを特徴とする付記５に記載の表示装置。
【００４９】
（付記７）キーボードまたはマウスを接続するインタフェース部をさらに備えたことを特徴とする付記１〜６のいずれか一つに記載の表示装置。
【００５０】
（付記８）前記インタフェース部は、ＵＳＢインタフェースであることを特徴とする付記７に記載の表示装置。
【産業上の利用可能性】
【００５１】
以上のように、本発明に係る表示装置は、大きな表示画面を必要とする場合に有用であり、特に、コストを抑えて表示画面を拡大したい場合に適している。
【図面の簡単な説明】
【００５２】
【図１】本実施例に係る携帯電話機を示す図である。
【図２】可動部のサブ液晶をメイン液晶の面に展開したときの図である。
【図３】可動部を折りたたんだときの図である。
【図４】可動部の断面図である。
【図５】サブ液晶を展開したときの断面図である。
【図６】サブ液晶が２枚構造の携帯電話機を示す図である。
【図７】可動部のサブ液晶をメイン液晶の面に展開したときの図である。
【図８】可動部を折りたたんだときの図である。
【図９】可動部の断面図である。
【図１０】２つのサブ液晶を展開したときの断面図である。
【図１１】従来の携帯電話機を示す図である。
【符号の説明】
【００５３】
１    メイン液晶表示部
２    背面液晶表示部
３    メイン液晶
４    可動部
５    固定部
６    サブ液晶
７    メイン液晶モジュール
８    サブ液晶モジュール（第１のサブ液晶モジュール）
９    メイン液晶の表示面
１０    サブ液晶の表示面（第１のサブ液晶の表示面）
１１    ヒンジ部
１２    プリント基板
１３    プリント基板
１４    コネクタ
１５    コネクタ
１６    第１のサブ液晶
１７    第２のサブ液晶
１８    第２のサブ液晶モジュール
１９    第２のサブ液晶の表示面
２０    ヒンジ部
２１    プリント基板
２２    コネクタ
２３    コネクタ
【図１】
2007316260.tif 000003
【図２】
2007316260.tif 000004
【図３】
2007316260.tif 000005
【図４】
2007316260.tif 000006
【図５】
2007316260.tif 000007
【図６】
2007316260.tif 000008
【図７】
2007316260.tif 000009
【図８】
2007316260.tif 000010
【図９】
2007316260.tif 000011
【図１０】
2007316260.tif 000012
【図１１】
2007316260.tif 000013